(57)【特許請求の範囲】
【請求項１】
清浄を維持するべき区画内に昆虫類が床面を伝って侵入することを防止するための昆虫類侵入防止装置であって、
ブロワからチャンバに加圧供給される空気をスリットを通して床面上に噴射する構成の噴射機構を前記区画内への出入口の外側の床面下に該出入口の全幅にわたって設置し、
前記スリットの上端に噴射空気流を出入口の外側に向けて噴射するための噴射口を設けて該噴射口を床面に開口させてなることを特徴とする昆虫類侵入防止装置。
【請求項２】
請求項１記載の昆虫類侵入防止装置であって、
前記噴射機構に水勾配を設けて該噴射機構の水下側に水抜管を接続し、該水抜管の先端部を封水機構を介して排水ピットに接続してなることを特徴とする昆虫類侵入防止装置。
【請求項３】
請求項１または２記載の昆虫類侵入防止装置であって、
前記噴射機構に洗浄水や消毒液等の薬液を供給して清浄化するための洗浄機構を具備してなることを特徴とする昆虫類侵入防止装置。
【発明の詳細な説明】
【技術分野】
【０００１】
本発明は清浄を維持するべき区画内への昆虫類の侵入を防止するための装置に関する。
【背景技術】
【０００２】
周知のように、たとえば医薬品や食品を取り扱う各種の建物では高度の清浄度を維持しなければならず、当然に清浄を維持するべき区画内への昆虫類の侵入を確実に防止する必要がある。
そのため、たとえば特許文献１や特許文献２に示されているように、この種の建物の出入口にはエアカーテンやエアシャワー等の昆虫類侵入防止装置を設けることが従来一般的である。
また、特許文献３に示されるように、床面を伝って侵入しようとする昆虫類を吸い込んで捕獲する装置も提案されている。
【特許文献１】特開平８−１７３００８号公報
【特許文献２】特開２００３−１６１４８９号公報
【特許文献３】特開２００７−２９５８６３号公報
【発明の開示】
【発明が解決しようとする課題】
【０００３】
ところで、特許文献１や特許文献２に示されるようなエアカーテンやエアシャワー等の昆虫類侵入防止装置では、出入口に向かって飛び込んでくる昆虫類や、出入口を通過する人や物品に付着している昆虫類の侵入はほぼ防止できるが、床面を伝ってくる昆虫類の侵入は必ずしも充分に防止できないものである。
すなわち、この種の装置は充分な流速、風量の気流によって昆虫類を吹き飛ばすことでその侵入を防止するのであるが、通常は床面付近では流速が大きく低下してしまうことが不可避であるし、特に床と壁との交差部である入隅部では気流の届かないデッドゾーンが生じてしまうこともあり、したがって床面にしっかりとしがみつきつつ這い込んでくる昆虫類（たとえばダンゴムシ、ワラジムシ、クロアリ、チャバネゴキブリ、クロゴキブリなど）の侵入を必ずしも充分には防止できない。
【０００４】
そのため特許文献３に示される吸引式の装置が提案され、それを上記のようなエアカーテンやエアシャワー等と併用することにより床面を伝ってくる昆虫類の侵入はほぼ確実に防止することができる。
しかし、そのような吸引式の装置は捕獲対象の昆虫類のみならずゴミや落ち葉等の異物も吸い込んでしまい、したがって捕獲効果を維持するためには頻繁な保守清掃、メンテナンスが不可欠である。
【０００５】
上記事情に鑑み、本発明は床面を伝ってくる昆虫類の侵入を確実に防止することのできる有効適切な装置を提供することを目的としている。
【課題を解決するための手段】
【０００６】
請求項１記載の発明は、清浄を維持するべき区画内に昆虫類が床面を伝って侵入することを防止するための昆虫類侵入防止装置であって、ブロワからチャンバに加圧供給される空気をスリットを通して床面上に噴射する構成の噴射機構を前記区画内への出入口の外側の床面下に該出入口の全幅にわたって設置し、前記スリットの上端に噴射空気流を出入口の外側に向けて噴射するための噴射口を設けて該噴射口を床面に開口させてなることを特徴とする。
【０００７】
請求項２記載の発明は、請求項１記載の発明の昆虫類侵入防止装置であって、前記噴射機構に水勾配を設けて該噴射機構の水下側に水抜管を接続し、該水抜管の先端部を封水機構を介して排水ピットに接続してなることを特徴とする。
【０００８】
請求項３記載の発明は、請求項１または２記載の発明の昆虫類侵入防止装置であって、前記噴射機構に洗浄水や消毒液等の薬液を供給して清浄化するための洗浄機構を具備してなることを特徴とする。
【発明の効果】
【０００９】
本発明の昆虫類侵入防止装置によれば、床面を伝って出入口に接近してくる昆虫類を噴射口からの噴射空気流によって吹き飛ばしあるいは出入口への接近を防止することができ、それにより昆虫類が出入口まで達することを防止し得てそこからの侵入を確実に防止することができる。したがって本発明の装置をたとえばエアカーテンやエアシャワー等の他の昆虫類侵入防止装置と併用することにより、それら従来の装置の弱点であった床面を伝ってくる昆虫類の侵入防止を充分に補完し得て万全の侵入防止を実現することができる。
【００１０】
特に、噴射機構に水勾配を設けてその水下側に水抜管と排水ピットを設けることにより、床面に開口している噴射口から噴射機構内に水が入り込んでもそこからの水抜きを支障なく行うことができるし、水抜管を封水機構を介して排水ピットに接続することで衛生的な問題もない。
また、噴射機構に洗浄水や消毒液等の薬液を供給するための洗浄機構を設けることにより、噴射機構内に昆虫類が入り込んだとしても常に清浄に維持することができる。
【発明を実施するための最良の形態】
【００１１】
本発明の一実施形態を図１〜図３を参照して説明する。本実施形態の昆虫類侵入防止装置は、図１に示すように建物（その内部は昆虫類の侵入を防止するべき清浄な区画とされている）の出入口１の外側に設置されてこの出入口１の床面２を伝って侵入しようとする昆虫類を出入口１の手前で外側に吹き飛ばしてその侵入を確実に防止するためのものである。
【００１２】
図１において符号３は出入口１に設けられているシャッター、４は外壁、５は柱、６は柱５の外側に設けられた袖壁であり、本実施形態の昆虫類侵入防止装置は、それら袖壁６の先端相互間にわたってシャッター３の外側の床面２に埋設された噴射機構１１と、その噴射機構１１に接続されたブロワ１２（図２参照）を主体として構成されている。
【００１３】
噴射機構１１は、その横断面形状を拡大して図３に示すように、上端が噴射口１３として床面２において開口しているスリット１４と、その下部に一体に接続されたチャンバ１５からなる。
スリット１４はステンレスやアルミニウム板等の金属板あるいは樹脂成形板等を素材として形成された扁平かつ横長の筒状体であって、その上端は両側に折り返されて断面形状がベルマウス形状とされた噴射口１３として機能するものであるが、その噴射口１３にはその幅を調整しかつ噴射空気流１８を建物外部側に向けて噴射させるための調整片１４ａが取り付けられている。なお、噴射口１３をベルマウス状に形成している折り返し部や調整片１４ａの表面はそこに昆虫類がしがみつくことができないように充分に平滑に仕上げておくことが好ましい。
チャンバ１５はたとえば塩化ビニル管等の管材を素材とするもので、その上部がスリット状に切除されてそこに上記のスリット１４の下部が若干差し込まれた状態で気密保持可能に一体に接続されている。
【００１４】
なお、上記の噴射機構１１におけるスリット１４やチャンバ１５の寸法や形状、素材、噴射口１３において確保するべき噴射空気流１８の風速や風量等の各仕様は、侵入防止対象として想定する昆虫類の種類やその大きさ等を考慮して最適に設定すれば良いが、ダンゴムシ、ワラジムシ、クロアリ、チャバネゴキブリ、クロゴキブリなどを想定した場合の好適な一例を挙げれば、スリット１４の幅は５〜５０ｍｍ程度、スリット１４の高さ（噴射口１３とチャンバ１５との距離）は５０〜３００ｍｍ程度とすることが良い。
また、噴射口１３の幅は５〜３０ｍｍ程度、噴射口１３における噴射空気流１８の流速は２ｍ／ｓｅｃ以上とすることが好ましく、噴射口１３からの噴射方向は図３に示すように床面２に平行な方向（通常は水平方向）から床面２に垂直な方向（通常は鉛直方向）の範囲で調整可能としておくと良い。そのような調整は調整片１４ａおよびスリット１４の上端の開口形状の設定により自由にかつ容易に行うことができる。
【００１５】
上記の噴射機構１１は、図１に示したように出入口１の外側の床面２において袖壁６間の全長にわたって隙間なく埋設されているが、噴射口１３から噴射機構１１内に水が入ることを想定して、図２に示すように噴射機構１１には１／１００程度の水勾配が設けられており、その水下側（図２において右端側）には水抜管２０が接続され、水抜管２０の先端部は封水機構２１を介して排水ピット２２に接続されている。符号２３は排水ピット２２からの放流管、２４は排水ピット２２の蓋を兼ねる点検口である。
なお、図示例のものでは排水ピット２２をトラップ桝状としてその底部に封水溜まり２５を確保し、水抜管２０の先端部を下方に向けて封水溜まり２５内に水没させることで封水機構２１としてのトラップを形成しており、したがってブロワ１２によって噴射機構１１内が正圧とされる分だけ、図２に示しているようにトラップ内の水位は周囲よりも若干低下することになる。
また、本実施形態では、チャンバ１５がそのまま水下側に延長されて（つまり、チャンバ１５を構成している塩化ビニル管等の管材がそのまま水下側に延長されて）、その延長部がそのまま水抜管２０とされており、その先端部の内側には封水溜まり２５よりも上側の位置にフィルタ２６が設けられたものとなっている。フィルタ２６は排水ピット２２から噴射機構１５内への昆虫類の侵入を防止し、かつ噴射口１３からチャンバ１５に昆虫類が入り込んでしまった場合にはそれを捕捉して排水ピット２２への逃避を防止するもので、そのフィルタ２６の清掃や保守点検は排水ピット２２内で行うことが可能とされ、そのための点検口２７が水抜管２０の上部にも設けられている。
【００１６】
一方、噴射機構１１の水上側（図２において左端側）にはダクト３０が接続され、そのダクト３０は所望位置で床面上に立ち上げられ、その先端には上記のブロワ１２が接続されている。本実施形態ではチャンバ１５がそのまま水上側にも延長されて（つまり、チャンバ１５を構成している塩化ビニル管等の管材がそのまま水上側に延長されて）、その延長部がそのままダクト３０として使用されている。
そのダクト３０の途中にもフィルタ３１が設けられていて、チャンバ１５に入り込んだ昆虫類はこのフィルタ３１により捕捉されてしまい、ブロワ１２を通過して逃避することはできないようにされている。
また、ブロワ１２にはその運転／停止を制御するための制御装置３２が付設されている。本実施形態における制御装置３２は、手動による任意の操作が可能であることに加え、予め設定した所望のタイマー制御あるいはプログラム制御によって、ブロワ１２をたとえば所望の時間帯のみ間欠的に運転したり、シャッター３の開閉操作に連動させて自動的に運転する（つまり、シャッター３が開かれる際にはブロワ１２が必ず運転される）ような制御が可能となっている。勿論、必要であればブロワ１２を常時連続運転することも可能であるし、他の昆虫類侵入防止装置が並設されているような場合にはそれに連動させて運転するように制御することも考えられる。
【００１７】
さらに、本実施形態の昆虫類侵入防止装置には、噴射機構１１に対して洗浄水や消毒液等の薬液を供給してそれを清浄化するための洗浄機構４０が備えられている。本実施形態における洗浄機構４０は、洗浄水タンク４１から洗浄水を供給管４２を通してノズル４３によりダクト３０の途中に吹き付けるように構成され、その洗浄水をダクト３０からチャンバ１５、水抜管２０内を流下させることでそれらの内面を洗い流して清浄化するものとされている。なお、洗浄水には必要に応じて消毒液等の薬液４４を混合すれば良い。洗浄機構４０により供給された洗浄水は水抜管２０から排水ピット２２に導かれ、排水ピット２２から放流管２３によって処理装置に導かれ、最終的には必要に応じて適宜の排水処理がなされた後に放流されるようになっている。
【００１８】
以上のように構成された本実施形態の昆虫類侵入防止装置によれば、ブロワ１２を運転すると、そのブロワ１２によってチャンバ１５およびスリット１４を通してその上部開口としての噴射口１３から床面２近傍に噴射空気流１８が噴射され、したがって噴射口１３の近傍にいる昆虫類をその噴射空気流１８によって出入口１と反対側の方向に向けて吹き飛ばしてしまうことができる。したがって、ブロワ１２を運転している限りは昆虫類は噴射口１３を超えてその内側に侵入することができず、それにより出入口１からの侵入を確実に防止することができる。
なお、仮に昆虫類が噴射空気流１８に抗して噴射機構１１に入り込んでしまった場合には、チャンバ１５の前後にそれぞれフィルタ２６，３１が設けられているので排水ピット２２やブロワ１２側へ逃げ出すことができず、やがてはチャンバ１５内において自ずと死滅してしまう。
【００１９】
また、噴射口１３が床面２に開口していることから、たとえば雨水の流入や床面清掃の際の洗浄水が噴射機構１１に流入することも想定されるが、本実施形態の昆虫類侵入防止装置ではチャンバ１５に水勾配を確保してその水下側に水抜管２０を設け、封水機構２１を介して排水ピット２２に接続しているので、自ずとかつ支障なく水抜きを行い得るし、水洗浄による清掃も容易に行うことができる。
しかも、噴射機構１１に対して洗浄水や薬液を供給して洗浄を行うための洗浄機構４０を設けているので、その洗浄機構４０によって定期的あるいは必要に応じて洗浄作業を適宜行うことにより、噴射機構１１内を容易にかつ確実に洗浄できて常に衛生的に維持することができるし、ゴミや異物により詰まりも防止できる。
【００２０】
以上で説明したように、本実施形態の昆虫類侵入防止装置によれば、床面２を伝って出入口１から侵入しようとする昆虫類の侵入を確実に防止できるものであり、したがってこれをたとえば特許文献１や特許文献２に示されるような従来一般のエアカーテンやエアシャワー等の他の昆虫類侵入防止装置と組み合わせて出入口１の外側に設置することにより、それら従来の装置の弱点であった床面２を伝っての昆虫類の侵入防止を充分に補完することが可能であり、万全の侵入防止を実現することができる。
また、特許文献３に示されるような吸引式の装置のように昆虫類以外の異物を吸い込んでしまうようなことはなく、したがって頻繁なメンテナンスが必要となったり侵入防止効果が低下してしまうこともないから、吸引式のものに比べれば保守性および信頼性の点で有利である。
【００２１】
以上で本発明の一実施形態を説明したが、本発明は上記実施形態に限定されるものでは勿論なく、たとえば以下に列挙するような様々な設計的変更や応用が可能である。
【００２２】
本発明の昆虫類侵入防止装置の各部の具体的な形状や寸法、仕様は、侵入防止対象とする昆虫類の種類やその大きさ、習性等を考慮し、また、これを設置するべき出入口の大きさや床面の仕上げやデザイン等も考慮して最適に設計すれば良い。
たとえば、上記実施形態のように噴射口１３としてのスリット１４の上部開口には調整片１４ａを取り付けて噴射口１３の幅や噴射方向を調整可能とすることが好ましいが、必ずしもそうすることに限るものでもない。
【００２３】
上記実施形態では水抜きのために噴射機構１１に水勾配を確保してその水下側に水抜管２０および排水ピット２２を設けたが、噴射機構１１に雨水等の水が流入する懸念が全くなく、また洗浄水や薬液による洗浄を考慮する必要が全くない場合、つまり特に水抜きを考慮する必要が全くない場合には、水抜管２０や排水ピット２２は省略しても差し支えない。
【００２４】
上記実施形態では噴射機構１１の前後にフィルタ２６，３１を設けて、それらに対する保守を排水ピット２２内で行ったり、ダクト３０を分解することで行うようにしたが、昆虫類が入り込む懸念がなければ必ずしもそのように構成することはなく、フィルタ２６，３１の要否、設置位置、その保守のための構成等は適宜変更可能である。逆に、昆虫類が頻繁に入り込むことが想定されるような場合には、単なるフィルタに代えて各種の昆虫採集器のようなトラップ機構を設けて捕獲するようにしたり、捕獲した昆虫類を死滅させるための機構を付加することも妨げるものではない。
【００２５】
上記実施形態では洗浄機構４０を具備するものとし、その洗浄機構４０としては噴射機構１１の水上側に設けたノズル４３からダクト３０内に洗浄水や薬液を吹き付ける構成としたが、それに代えて、あるいはそれに加えて、スリット１４も含めた噴射機構１１全体、さらには水抜管２０や排水ピット２２に対しても洗浄水や薬液を吹き付けたり洗い流すような構成の洗浄機構とすることも考えられる。但し、洗浄作業を他の手段や他の手法で行うことを前提とするような場合には、上記実施形態のような洗浄機構４０を常備しておくことは必ずしも不可欠ではなく、省略することも可能である。
【００２６】
本発明の昆虫類侵入防止装置は、あくまで床面を伝って侵入しようとする昆虫類を対象としてその侵入を防止するものであるので、飛翔して出入口に飛び込んでくる昆虫類や、他の経路を伝ってくる昆虫類の侵入は他の手段により防止する必要があり、したがって上述したように本発明の昆虫類侵入防止装置はエアカーテンやエアシャワー等の他の装置を補完するものとしてそれらと併用することが現実的であり、通常はそのようにすべきである。
但し、他の経路からの侵入については全く考慮する必要がなく床面からの侵入のみを考慮すれば良い場合においては、本発明の装置を単独で使用することを妨げるものではない。逆に、必要であれば本発明の装置を床面のみならず壁面や天井面にも設けて出入口の全周から外側に向けて噴射空気流を噴射させることも考えられ、その場合には床面だけでなく壁面や天井面を伝ってくる昆虫類の侵入も有効に防止することができる。
【００２７】
また、本発明の装置は外部から建物への出入口に設置するのみならず、建物の内部を区画してたとえばクリーンルームのような清浄化を維持するべき領域を設けるような場合には、建物内に設けられる区画への出入口に対しても同様に設けることができることは言うまでもない。
【図面の簡単な説明】
【００２８】
【図１】本発明の一実施形態である昆虫類侵入防止装置を出入口の外側に設置した状態を示す平断面図である。
【図２】同、立断面図（図１におけるII−II線視図）である。
【図３】同、噴射機構の拡大断面図（図２におけるIII−III線視図）である。
【符号の説明】
【００２９】
１  出入口
２  床面
３  シャッター
４  外壁
５  柱
６  袖壁
１１  噴射機構
１２  ブロワ
１３  噴射口
１４  スリット
１４ａ  調整片
１５  チャンバ
１８  噴射空気流
２０  水抜管
２１  封水機構
２２  排水ピット
２３  放流管
２４  点検口
２５  封水溜まり
２６  フィルタ
２７  点検口
３０  ダクト
３１  フィルタ
３２  制御装置
４０  洗浄機構
４１  洗浄タンク
４２  供給管
４３  ノズル
４４  薬液
【図１】
0005003971.tif 000002
【図２】
0005003971.tif 000003
【図３】
0005003971.tif 000004